(57)【要約】【課題】  既に発症している腰痛を軽減するだけでなく、将来の腰痛発症も防止することができるサポーターを提供する。【解決手段】  股関節サポーター１００を、腰回り左側方に当接させるための左側方パッド１１０と、腰回り右側方に当接させるための右側方パッド１２０と、腰回り背側に当接させるための後方パッド１３０と、左側方１１０パッドと後方パッド１３０とを連結する伸縮性を有しない左側連結帯材１４０と、右側方パッド１２０と後方パッド１３０とを連結する伸縮性を有しない右側連結帯材１５０と、左側方パッド１１０における後方パッド１３０に連結されていない側の端部と右側方パッド１２０における後方パッド１３０に連結されていない側の端部とを着脱自在に連結するための前方連結帯材１６０とを備えたものとした。【選択図】図１
2018102344.tif 000002
【特許請求の範囲】
【請求項１】
使用者の腰回りに巻き付けて使用する股関節サポーターであって、
使用者の腰回り左側方に当接させるための左側方パッドと、
使用者の腰回り右側方に当接させるための右側方パッドと、
使用者の腰回り背側に当接させるための後方パッドと、
左側方パッドと後方パッドとの間を連結する伸縮性を有しない左側連結帯材と、
右側方パッドと後方パッドとの間を連結する伸縮性を有しない右側連結帯材と、
左側方パッドにおける後方パッドに連結されていない側の端部と、右側方パッドにおける後方パッドに連結されていない側の端部とを着脱自在に連結するための前方連結帯材と
を備えたことを特徴とする股関節サポーター。
【請求項２】
左側連結帯材及び右側連結帯材が、共に、後方パッドに対して傾斜して取り付けられた請求項１に記載の股関節サポーター。
【請求項３】
左側方パッドと後方パッドとの間隔、又は、右側方パッドと後方パッドとの間隔が調節可能とされた請求項１又は２に記載の股関節サポーター。
【請求項４】
左側方パッドの内側面及び右側方パッドの内側面に、滑り止めマットがそれぞれ設けられた請求項１〜３いずれかに記載の股関節サポーター。
【請求項５】
滑り止めマットが、複数のＶ字形状の滑り止め突起を有するものとされるとともに、
少なくとも一部の滑り止め突起が、そのＶ字状に開いた側が下方を向くように配された
請求項１〜４いずれかに記載の股関節サポーター。
【発明の詳細な説明】
【技術分野】
【０００１】
本発明は、腰回りに巻き付けて使用する股関節サポーターに関する。
【背景技術】
【０００２】
介護やスポーツを行う人は、その腰部に負担がかかりがちになるため、腰痛を発症しやすい。このような腰痛を軽減するための補助具として、使用者の腰回りに巻き付けて使用するサポーターが広く知られている（例えば、特許文献１の図１等に記載のサポーター。）。これらのサポーターは、特許文献１の段落０００５等にも記載されているように、主に、使用者の腰部背側に位置する仙腸関節（同文献の図３において、骨盤２０２における仙骨２０４と左右一対の腸骨２０５とをつなぐ関節２０６）を締めて安定化することによって、腰痛を軽減するものとなっている。
【０００３】
また、特許文献２には、使用者の腰回りにおける腰骨（腸骨前上棘）よりも下側に巻き付けることによって腰痛を防止する骨盤固定バンドも提案されている。特許文献２に記載の骨盤固定バンドは、同文献の図１等に示されるように、背帯１と、側帯２，２ａと、前帯３と、押圧機構４と、連結部材５とを備えたものとなっている。この骨盤固定バンドは、同文献の図４等に示されるように、その押圧機構４が使用者の腰回り側部における腸骨前上棘ａと大腿骨大転子部ｄとの間に位置する部分に重なるように装着するものとなっている。これにより、骨盤にかかる荷重が大腿骨頭部ｃだけでなく大腿骨大転子部ｄでも支えられるようになるため、骨盤の開離を阻止して、腰痛を防止することができるとされている。
【０００４】
ところで、これらのサポーターは、長手方向に伸縮性を有するものとなっている。例えば、特許文献１に記載のサポーターは、同文献の図１に示されるように、伸縮部１２ｄを備えており、特許文献２に記載の骨盤固定バンドは、同文献の図１に示されるように、弾性帯部１３を備えている。このように、サポーターをその長手方向に伸縮性を有するものとすることにより、使用者が身体を動かしたとしてもサポーターと使用者の腰回りとの間に隙間が生まれにくくすることができるため、サポーターが適切な着用位置からずれにくいようにすることが可能になる。
【先行技術文献】
【特許文献】
【０００５】
【特許文献１】特開２０１３−１３８８２３号公報
【特許文献２】特開昭５６−１１６４５５号公報
【発明の概要】
【発明が解決しようとする課題】
【０００６】
しかし、特許文献１に示されるような従来のサポーターは、同文献の段落００５６，００５８等にも記載されているように、腰部を支える筋肉を補助することで使用者の腰部を安定させることを目的として着用されるものである。換言すると、使用者の筋肉によって支えるべき腰椎や仙骨を、外部から締めて支えるものである。このため、このような従来のサポーターは、着用することで一時的に腰痛を軽減することはできたとしても、それは対処療法的なものにすぎず、腰痛の根本的な治療には結びつかないものであった。加えて、長期的に着用し続けると腰部を支える筋肉の衰えを招いてしまう虞もあった。
【０００７】
また、特許文献２に記載の骨盤固定バンドも、やはり対処療法的なものであり、必ずしも腰痛の原因を解消できるものではなかった。というのも、骨盤に過度の荷重や偏った荷重がかかると、骨盤が開きがちになって腰痛を引き起こしてしまうところ、特許文献２に記載の骨盤固定バンドは、骨盤にかかったこれらの荷重を大腿骨頭部と大腿骨大転子部とに分散させて凌ぐだけのものであり、そもそもの原因である過度の荷重を軽減したり、骨盤に正しく荷重がかかるようにしたりするものではないからである。
【０００８】
本発明は、上記課題を解決するために為されたものであり、腰痛の原因を解消することができ、既に発症している腰痛を軽減するだけでなく、将来の腰痛発症も防止することができるサポーターを提供するものである。
【課題を解決するための手段】
【０００９】
上記課題は、
使用者の腰回りに巻き付けて使用する股関節サポーターであって、
使用者の腰回り左側方に当接させるための左側方パッドと、
使用者の腰回り右側方に当接させるための右側方パッドと、
使用者の腰回り背側に当接させるための後方パッドと、
左側方パッドと後方パッドとの間を連結する伸縮性を有しない左側連結帯材と、
右側方パッドと後方パッドとの間を連結する伸縮性を有しない右側連結帯材と、
左側方パッドにおける後方パッドに連結されていない側の端部と、右側方パッドにおける後方パッドに連結されていない側の端部とを着脱自在に連結するための前方連結帯材と
を備えたことを特徴とする股関節サポーター
を提供することによって解決される。
【００１０】
これにより、腰痛の原因を解消することができ、既に発症している腰痛を軽減するだけでなく、将来の腰痛発症も防止することができる。すなわち、腰痛を引き起こす大きな原因の一つは、股関節の緩みやずれによって姿勢が悪化し、腰椎に無理な負担がかかるようになることであるところ、本発明の股関節サポーターを、左側方パッド及び右側方パッドが使用者の腰回り側方における脚の付け根部に当接する状態で（左側方パッド及び右側方パッドが、使用者の大腿骨大転子部を左右から締めることができる状態で）着用することによって、使用者の股関節を左右から締めて股関節の位置を矯正し、使用者が正しい姿勢を取れるようにすることができる。これにより、腰痛の原因となる姿勢の悪さを解消するとともに、使用者が自身の腰部の筋肉を正しく使うことができるようにサポートすることが可能になる。加えて、本発明の股関節サポーターは、既に腰痛を発症している人の腰痛を軽減するだけでなく、健康な人が将来的に腰痛を発症することを防止することも可能なものとなっている。すなわち、介護やスポーツ等の腰部に負担がかかる作業を行う際に、本発明の股関節サポーターを着用することによって、股関節の緩みやずれが発生することを防いで、腰痛の発生を未然に防止することが可能になる。
【００１１】
ところで、既に述べたように、従来のサポーターは長手方向に伸縮性を有するものとなっていたが、本発明の股関節サポーターにおいては、左側連結帯材及び右側連結帯材を、伸縮性を有しないものとしており、股関節サポーター全体としても長手方向（着用時に使用者の腰回り外周方向となる方向。以下同じ。）に伸縮性を有しないようにしている。これにより、本発明の股関節サポーターは、股関節をしっかりと締めることが可能なものとなっている。というのも、本発明の股関節サポーターは、大腿部の大きな筋肉によってダイナミックに可動する股関節の外側に装着するものであるため、長手方向に伸縮性を有していると、股関節を十分な力で締めることができなくなってしまうところ、長手方向に伸縮性を有しないものとすることで、股関節をしっかりと締めることができるようになるからである。
【００１２】
ただし、股関節サポーターが長手方向に伸縮性を有さないものであると、使用者が身体を動かした際に股関節サポーターと使用者の腰回りとの間に隙間が生まれやすくなり、股関節サポーターが適切な着用位置からずれやすくなる虞がある。このため、左側方パッドの内側面及び右側方パッドの内側面に、滑り止めマットをそれぞれ設けるようにすると好ましい。これにより、股関節サポーターが適切な着用位置からずれにくいようにすることができる。
【００１３】
この場合、滑り止めマットにおける使用者の腰部に当接する面の意匠は特に限定されないが、滑り止めマットを、複数のＶ字形状の滑り止め突起を有するものとするとともに、少なくとも一部の滑り止め突起を、そのＶ字状に開いた側が下方を向くように配するようにすると好ましい。これにより、股関節サポーターが適切な着用位置からずれることをより効果的に防ぐことができる。というのも、股関節サポーターを着用した際には、重力がかかる方向である下方に股関節サポーターがずれがちであるところ、滑り止めマットにＶ字形状の滑り止め突起を設けて、そのＶ字状に開いた側が下方を向くようにすることにより、滑り止めマットに対して上方向に生じる摩擦力（滑り止めマットを、接触物に対して下方に動かそうとした際に生じる摩擦力）を強くすることができ、股関節サポーターを、より下方にずれにくくすることができるからである。
【００１４】
本発明の股関節サポーターにおいては、左側連結帯材及び右側連結帯材を、共に、後方パッドに対して傾斜して取り付けると好ましい。これにより、股関節サポーターの着用時に、使用者の動きを妨げないようにすることができる。というのも、本発明の股関節サポーターは、上述したように、左側方パッド及び右側方パッドが使用者の腰回り側方における脚の付け根部に当接する状態（図３を参照。）で着用するものであるところ、左側連結帯材及び右側連結帯材を後方パッドに対して傾斜させずに（左側方パッド、後方パッド、右側方パッドが略一直線となるように）取り付けた場合には、左側方パッドの左側部分及び右側方パッドの右側部分（着用時に使用者の腰回り前方に当接する部分）が、使用者の前腿の付け根部を押さえるようになってしまい、使用者が前腿を前方に上げにくくなってしまうからである。この点、左側連結帯材及び右側連結帯材を後方パッドに対して傾斜して取り付けると、図３に示すように、左側方パッド及び右側方パッドが、使用者の腰回り側方においては脚の付け根部に当接するようにしつつ、使用者の腰回り前方においては前腿の付け根部よりも上方に当接するようにして、使用者の動きを妨げないようにすることができる。
【００１５】
本発明の股関節サポーターにおいては、左側方パッドと後方パッドとの間隔、又は、右側方パッドと後方パッドとの間隔を調節可能とすると好ましい。これにより、使用者の体格等に合わせて、左側方パッド又は右側方パッドを適切な位置に調節することが可能になる。
【発明の効果】
【００１６】
以上のように、本発明によって、腰痛の原因を解消することができ、既に発症している腰痛を軽減するだけでなく、将来の腰痛発症も防止することができるサポーターを提供することが可能になる。
【図面の簡単な説明】
【００１７】
【図１】展開した股関節サポーターを外側面から見た状態を示す図である。
【図２】展開した股関節サポーターを内側面から見た状態を示す図である。
【図３】股関節サポーターを使用者の腰部に装着した状態を示す図である。
【図４】人間の骨格における骨盤周辺の正面図である。
【図５】右側連結帯材の長さを調節する様子を示す図である。
【発明を実施するための形態】
【００１８】
以下、本発明の股関節サポーターを実施するための好適な態様について、図面を参照しながら具体的に説明する。
【００１９】
１．  股関節サポーター
図１及び図２は、本発明の股関節サポーター１００を展開した状態を示す図であり、図１は外側面（着用時に外側を向く面）から見た状態を、図２は内側面（着用時に使用者の腰部に当接する側の面）から見た状態を、それぞれ示している。図３は、股関節サポーター１００を使用者の腰部に装着した状態を示す図であり、（ａ）は正面図、（ｂ）は左側面図となっている。図４は、人間の骨格における骨盤２１０周辺の正面図である。図５は、右側連結帯材１５０の長さを調節する様子を示す図である。
【００２０】
本実施態様の股関節サポーター１００は、図１に示すように、左側方パッド１１０と、右側方パッド１２０と、後方パッド１３０と、左側方パッド１１０と後方パッド１３０との間を連結する左側連結帯材１４０と、右側方パッド１２０と後方パッド１３０との間を連結する右側連結帯材１５０と、左側方パッド１１０の左端部と右側方パッド１２０の右端部とを連結するための前方連結帯材１６０とを備えたものとなっている。本実施態様においては、後述するように、左側連結帯材１４０の長さを調節することで左側方パッド１１０と後方パッド１３０との間隔を調節でき、右側連結帯材１５０の長さを調節することで右側方パッド１２０と後方パッド１３０との間隔を調節できるようになっている。また、前方連結帯材１６０の長さを調節することで、左側方パッド１１０と右側方パッド１２０との間隔も調節できるようになっている。前方連結帯材１６０は、その中央付近に設けられた着脱式留め具１６１によって左右に分離可能となっている。右側方パッド１２０の上部には、２箇所の付属品取付具（本実施態様においてはスナップボタン）１２０ａが設けられており、後述するように、小物入れ等の付属品を取り付けることができるようになっている。左側方パッド１１０、右側方パッド１２０及び後方パッド１３０の内側面には、図２に示すように、それぞれ、滑り止めマット１７０が設けられている。
【００２１】
本実施態様の股関節サポーター１００は、図３に示すように、使用者の腰回りに巻き付けて使用するものとなっている。具体的には、左側方パッド１１０が使用者の腰回り左側方における脚の付け根部に当接し、右側方パッド１２０が使用者の腰回り右側方における脚の付け根部に当接した状態で装着するものとなっている。これにより、図４における矢印Ａに示すように、使用者の大腿骨２２０における大腿骨大転子部２２１を左右から押圧して、使用者の股関節２３０を左右から締め、股関節２３０の位置を矯正することができる。
【００２２】
本実施態様の股関節サポーター１００を装着する際には、以下のような手順で行う。まず、左側連結帯材１４０及び右側連結帯材１５０の長さを調節して、股関節サポーター１００の長さが使用者の腰回りよりも長くなるようにしておく。次に、後方パッド１３０が使用者の腰回り背側に配されるように股関節サポーター１００を使用者の腰回りに巻き付けた状態とし、使用者の腰回り前側において着脱式留め具１６１を連結することにより左右の前方連結帯材１６０を連結させる。最後に、長くしておいた左側連結帯材１４０及び右側連結帯材１５０の長さを短く調節することで、股関節サポーター１００を使用者の腰回りの長さに合わせて締める。以上で、股関節サポーター１００の装着が完了する。
【００２３】
ところで、本発明の股関節サポーター１００における左側方パッド１１０、右側方パッド１２０、後方パッド１３０、左側連結帯材１４０、右側連結帯材１５０及び前方連結帯材１６０は、いずれも、股関節サポーター１００の長手方向に伸縮性を有さないものとなっている。これにより、股関節サポーター１００の装着時に、股関節２３０を十分な力で締めることができる。ただし、この場合には、使用者が身体を動かした際に股関節サポーター１００と使用者の腰回りとの間に隙間が生まれやすくなるため、股関節サポーター１００が適切な着用位置からずれやすくなる虞がある。このため、本実施態様においては、図２に示すように、左側方パッド１１０、右側方パッド１２０及び後方パッド１３０の内側面に滑り止めマット１７０を設けることによって、股関節サポーター１００がずれにくいようにしている。
【００２４】
以下、本実施態様の股関節サポーター１００を構成する各部について説明する。
【００２５】
２．  左側方パッド及び右側方パッド
左側方パッド１１０及び右側方パッド１２０は、上述したように、使用者の大腿骨大転子部２２１を左右から押圧するための部分となっている。左側方パッド１１０及び右側方パッド１２０の形状及び大きさは、大腿骨大転子部２２１を左右からしっかりと押圧することができるようになっていれば、特に限定されない。本実施態様においては、図１に示すように、左側方パッド１１０及び右側方パッド１２０を、股関節サポーター１００の長手方向に沿った短冊状に形成している。
【００２６】
左側方パッド１１０及び右側方パッド１２０の長さ（股関節サポーター１００の長手方向に沿った長さ）は、特に限定されないが、通常１０ｃｍ〜４０ｃｍ程度とされる。左側方パッド１１０及び右側方パッド１２０の幅も特に限定されないが、幅を細くしすぎると、股関節サポーター１００の着用時に左側方パッド１１０や右側方パッド１２０が使用者の腰部に食い込んで痛みを発生させてしまう虞がある。このため、左側方パッド１１０及び右側方パッド１２０の幅は、２ｃｍ以上とすると好ましく、４ｃｍ以上とするとより好ましく、６ｃｍ以上とするとさらに好ましい。一方、左側方パッド１１０及び右側方パッド１２０の幅を広くしすぎると、左側方パッド１１０や右側方パッド１２０にかかる力が分散しやすくなり、大腿骨大転子部２２１を十分な力で押圧することができなくなってしまう虞がある。また、左側方パッド１１０や右側方パッド１２０が使用者の脚の動きを制限してしまう虞もある。このため、左側方パッド１１０及び右側方パッド１２０の幅は、２０ｃｍ以下とすると好ましく、１５ｃｍ以下とするとより好ましく、１２ｃｍ以下とするとさらに好ましい。本実施態様における左側方パッド１１０及び右側方パッド１２０は、その長さを２８ｃｍ程度、幅を８ｃｍ程度としている。
【００２７】
左側方パッド１１０及び右側方パッド１２０の素材も特に限定されないが、上述したように、股関節サポーター１００の長手方向には伸縮性を有さないような素材とされる。加えて、クッション性を有する素材とすると、左側方パッド１１０及び右側方パッド１２０が使用者の腰部に食い込みにくくすることができるため好ましい。本実施態様においては、左側方パッド１１０及び右側方パッド１２０を、異なる素材を重ね合わせた多層構造としている。具体的には、左側方パッド１１０及び右側方パッド１２０を、その外面を形成する表地と、表地の内面側に設けられたシート状のクッション材とで構成している。表地は、その種類を特に限定されず、各種生地（織布や不織布等）を用いることができる。これらの生地には、樹脂製のシートを貼り付けたり、樹脂コーティングを施したりすることもできる。また、左側方パッド１１０及び右側方パッド１２０の内側面を形成するクッション材としては、各種の発泡マットや厚手のメッシュ材等を用いることができる。なお、左側方パッド１１０や右側方パッド１２０を異なる素材を用いた多層構造とする場合には、個々の素材は単独では伸縮性を有するものであってもよく、重ね合わせて左側方パッド１１０や右側方パッド１２０を形成した際に、左側方パッド１１０や右側方パッド１２０が全体として股関節サポーター１００の長手方向に伸縮性を有しないようになっていればよい。
【００２８】
３．  後方パッド
後方パッド１３０は、図３（ｂ）に示すように、使用者の腰回り背側（臀部）に当接させて使用するものとなっている。後方パッド１３０の形状及び大きさは、使用者の臀部の膨らみに合わせてフィットするようになっていれば特に限定されないが、本実施態様においては、図１に示すように、後方パッド１３０を、左側方パッド１１０及び右側方パッド１２０と同じ幅の短冊状に形成している。後方パッド１３０の長さは、通常１０ｃｍ〜３０ｃｍ程度とされ、本実施態様においては２３ｃｍ程度となっている。後方パッド１３０は、臀部に沿うように湾曲した形状としてもよい。後方パッド１３０の素材は、股関節サポーター１００の長手方向に伸縮性を有さないものであれば、特に限定されない。本実施態様における後方パッド１３０は、左側方パッド１１０及び右側方パッド１２０と同様の素材で形成している。
【００２９】
４．  左側連結帯材及び右側連結帯材
左側連結帯材１４０は、左側方パッド１１０と後方パッド１３０とを連結するための部分となっており、右側連結帯材１５０は、右側方パッド１２０と後方パッド１３０とを連結するための部分となっている。これにより、後方パッド１３０に対する左側方パッド１１０及び右側方パッド１２０の動きをある程度許容できるようになるため、左側方パッド１１０、右側方パッド１２０及び後方パッド１３０の位置を使用者の腰回りの体形に合わせて調節することができる。
【００３０】
左側連結帯材１４０及び右側連結帯材１５０は、左側方パッド１１０と後方パッド１３０と右側方パッド１２０とを略同一直線上で連結させるように設けてもよいが、この場合には、着用時に使用者の動きを妨げてしまう虞がある。というのも、この場合に、股関節サポーター１００を、図３に示すように、左側方パッド１１０及び右側方パッド１２０が使用者の腰回り側方における脚の付け根部に当接する状態で装着すると、左側方パッド１１０の左側部分及び右側方パッド１２０の右側部分（着用時に使用者の腰回り前方に当接する部分）が、使用者の前腿の付け根部にかかってしまい、使用者が前腿を前方に上げにくくなってしまうからである。このため、本実施態様においては、図１に示すように、左側連結帯材１４０を、その前端部（左側方パッド１１０に接続された側の端部）がその後端部（後方パッド１３０に接続された側の端部）よりも上方となるように傾斜させた状態で後方パッド１３０に取り付けており、右側連結帯材１５０を、その前端部（右側方パッド１２０に接続された側の端部）がその後端部（後方パッド１３０に接続された側の端部）よりも上方となるように傾斜させた状態で後方パッド１３０に取り付けている。これにより、図３（ｂ）に示すように、着用時に、左側方パッド１１０及び右側方パッド１２０が前上がりの状態となるようにすることができる。すなわち、左側方パッド１１０及び右側方パッド１２０が、使用者の腰回り側方においては脚の付け根部に位置する大腿骨大転子部２２１を押圧できる位置に当接し、使用者の腰回り前方においては前腿の付け根部よりも上方に当接するようにして、使用者の動きを妨げないようにすることができる。
【００３１】
左側連結帯材１４０の後方パッド１３０に対する傾斜角θ１（図１を参照）や、右側連結帯材１５０の後方パッド１３０に対する傾斜角θ２は、特に限定されない。しかし、上述したように、左側方パッド１１０の左側部分及び右側方パッド１２０の右側部分を使用者の前腿の付け根部よりも上方に当接させるためには、傾斜角θ１や傾斜角θ２をある程度大きくすることが好ましい。このため、傾斜角θ１や傾斜角θ２は、５°以上とすると好ましく、１０°以上とするとより好ましく、１５°以上とするとさらに好ましい。一方で、傾斜角θ１や傾斜角θ２を大きくし過ぎると、着用時に、股関節サポーター１００における使用者の腰回り前方に当接する部分の位置が高くなりすぎてしまい、股関節サポーター１００の締付力が分散して、大腿骨大転子部２２１を十分な力で押圧することができなくなってしまう虞がある。このため、傾斜角θ１や傾斜角θ２は、４５°以下とすると好ましく、３５°以下とするとより好ましく、２５°以下とするとさらに好ましい。本実施態様においては、傾斜角θ１及び傾斜角θ２を２０°程度としている。
【００３２】
本実施態様における左側連結帯材１４０及び右側連結帯材１５０は、既に述べたように、その長さを調節することができるようになっている。これにより、左側方パッド１１０ととの間隔、及び、右側方パッド１２０と後方パッド１３０との間隔を調節して、左側方パッド１１０及び右側方パッド１２０が使用者の腰回り側方における適切な位置（使用者の大腿骨大転子部２２１を左右から押圧できる位置）に当接するようにすることができる。左側連結帯材１４０及び右側連結帯材１５０の長さを調節するための構造は、特に限定されないが、本実施態様においては、図５に示す構造を採用している。
【００３３】
以下、図５を用いて、本実施態様の股関節サポーター１００における左側連結帯材１４０及び右側連結帯材１５０の具体的な構造を説明する。なお、本実施態様においては、左側連結帯材１４０と右側連結帯材１５０とが同様の構造を有しているため、以下では右側連結帯材１５０のみについて説明する。本実施態様における右側連結帯材１５０は、図５に示すように、後方パッド１３０側の第一帯材１５１と、右側方パッド１２０側の第二帯材１５２と、第一帯材１５１と第二帯材１５２とを連結する第一連結具１５３とで構成されている。第一帯材１５１は、その一端側（左端側）を後方パッド１３０の右端部に固定されている。第二帯材１５２は、その一端側を右側方パッド１２０の左端部に固定されるとともに、その他端側には、第二連結具１５４が取り付けられている。この第二帯材１５２は、第一連結具１５３を通る部分で右側方パッド１２０側に折り返された状態とされる。第二連結具１５４には、右側方パッド１２０に設けられた固定帯材１２１が通されている。本実施態様における固定帯材１２１は、前方連結帯材１６０における右側方パッド１２０に固定された部分を延長することで形成されている。この固定帯材１２１は、図５における矢印Ｂで示すように折り返して、その折り返し側の端部に設けられた面ファスナー１２１ａを、右側方パッド１２０側の面ファスナー１２１ｂに固着するようになっている。右側連結帯材１５０の長さ（右側方パッド１２０と後方パッド１３０との間隔）は、面ファスナー１２１ｂに対する面ファスナー１２１ａの固着位置を変化させることで調節することができる。
【００３４】
このような構造を採用することにより、使用者が自分自身で股関節サポーター１００をしっかりと締めることができるようになる。すなわち、本実施態様の股関節サポーター１００は、これを自身の腰回りに巻き付けた状態から、右側連結帯材１５０における固定帯材１２１の折り返し側の端部を右手で、左側連結帯材１４０における固定帯材の折り返し側の端部を左手で、それぞれ持ち、前方に引っ張ることで股関節サポーター１００を締めることができる。このような締め方は、力を込めやすいため、股関節サポーター１００で股関節２３０をしっかりと締めることができる。
【００３５】
左側連結帯材１４０及び右側連結帯材１５０の素材は、股関節サポーター１００の長手方向に伸縮性を有しないものであり、必要な強度を確保できるものであれば特に限定されず、紐材等を用いてもよいが、帯材とすると好ましい。これにより、左側連結帯材１４０及び右側連結帯材１５０が使用者の腰部に食い込むことを防ぐことができる。このような素材としては、各種繊維の縮織地や、樹脂シートや、革等から成る帯材が挙げられる。本実施態様においては、左側連結帯材１４０及び右側連結帯材１５０を、化繊製の織テープで形成している。
【００３６】
左側連結帯材１４０及び右側連結帯材１５０の幅も、特に限定されないが、細くしすぎると、十分な強度を確保できない虞がある。また、着用時に使用者の腰部に食い込みやすくなってしまう虞もある。このため、左側連結帯材１４０及び右側連結帯材１５０の幅は、０．５ｃｍ以上とすると好ましい。左側連結帯材１４０及び右側連結帯材１５０の幅は、１ｃｍ以上とするとより好ましく、２ｃｍ以上とするとさらに好ましい。左側連結帯材１４０及び右側連結帯材１５０の幅に特に上限はないが、通常、左側方パッド１１０や右側方パッド１２０よりも細くされる。左側連結帯材１４０及び右側連結帯材１５０の幅は、８ｃｍ以下とすると好ましく、５ｃｍ以下とするとより好ましく、３ｃｍ以下とするとさらに好ましい。本実施態様における左側連結帯材１４０及び右側連結帯材１５０は、その幅を２．５ｃｍ程度としている。
【００３７】
５．  滑り止めマット
滑り止めマット１７０は、股関節サポーター１００が使用者の腰回りにおける適切な着用位置からずれにくいようにするためのものである。滑り止めマット１７０は、股関節サポーター１００のずれを適切に防止することができるようになっていれば、その取付位置を特に限定されない。このため、例えば、左側方パッド１１０、右側方パッド１２０又は後方パッド１３０の内側面全体を、滑り止めマット１７０で形成することもできる。しかし、本実施態様の股関節サポーター１００においては、大腿骨大転子部２２１を押圧する部分の位置が重要であるところ、それ以外の部分にまで広範に滑り止めマット１７０を設けると、股関節サポーター１００が、使用者のちょっとした動きにも追随しやすくなって、かえって適切な着用位置からずれやすくなってしまう虞がある。このため、本実施態様においては、図２に示すように、左側方パッド１１０の内側面における右側部分と、右側方パッド１２０の内側面における左側部分とに滑り止めマット１７０を設けている。これらの部分は、股関節サポーター１００を着用した際に、使用者の大腿骨大転子部２２１（図４）に重なる部分である。これにより、左側方パッド１１０及び右側方パッド１２０が大腿骨大転子部２２１を適切に押圧できる位置からずれにくいようにすることができる。
【００３８】
加えて、本実施態様においては、後方パッド１３０にも滑り止めマット１７０を設けている。これにより、左側方パッド１１０及び右側方パッド１２０の位置をよりずれにくくすることができる。というのも、後方パッド１３０は、左側方パッド１１０の右側部分及び右側方パッド１２０の左側部分に連結された部分であることに加え、使用者の腰回りの中でも可動性が低い箇所である臀部に当接させるものとなっている。このため、後方パッド１３０に滑り止めマット１７０を設けることで、股関節サポーター１００が使用者の動きに追随してずれる可能性を増大させることなく、左側方パッド１１０の右側部分及び右側方パッド１２０の左側部分をよりずれにくくすることができるからである。滑り止めマット１７０の大きさ及び形状も特に限定されないが、本実施態様においては、滑り止めマット１７０を、縦約５ｃｍ、横約８ｃｍ程度の略矩形状としている。
【００３９】
滑り止めマット１７０の滑り止め面は、必要な滑り止め機能を発揮することができるようになっていれば、その意匠を特に限定されない。本実施態様においては、図２に示すように、滑り止めマット１７０の滑り止め面に複数の滑り止め突起１７１を設けている。滑り止め突起１７１の形状は特に限定されないが、本実施態様においては、滑り止め突起１７１をＶ字形状に形成しており、そのＶ字状に開いた側が下方を向くように滑り止め突起１７１を配している。これにより、既に述べたように、着用時に股関節サポーター１００が下方にずれにくいようにすることができる。別の態様として、Ｖ字形状に形成した滑り止め突起１７１を、Ｖ字状に開いた側が下方を向くものと、Ｖ字状に開いた側が上方を向くものとを混在させた状態で配するようにしてもよい。これにより、着用時に股関節サポーター１００が上方にもずれにくいようにすることができる。滑り止めマット１７０の滑り止め面の意匠は、股関節サポーター１００に設けられたすべての滑り止めマット１７０で同じである必要はなく、滑り止めマット１７０が設けられた箇所に応じて変えることもできる。
【００４０】
滑り止めマット１７０の素材は、必要な滑り止め機能を発揮することができるものであれば特に限定されない。滑り止めマット１７０は、ゴムや、樹脂や、これらの発泡体等で形成することができる。本実施態様における滑り止めマット１７０は、合成ゴム製となっている。
【００４１】
６．  付属品取付具
本実施態様の股関節サポーター１００は、右側方パッド１２０の上部に、２箇所の付属品取付具（スナップボタン）１２０ａを備えたものとなっている。これにより、ポーチ等の付属品を、股関節サポーター１００に着脱自在に取り付けることができるようになっている。本実施態様の股関節サポーター１００は、衣服の下だけでなく衣服の上からも装着することができるものであるところ、衣服の上に装着した場合には、ズボンやスカート等の下衣のポケットが股関節サポーター１００で覆われて使用できなくなる可能性もある。この点、上記の付属品取付具１２０ａにポーチ等を取り付ければ、使用できなくなったポケットの機能をポーチ等で補うことができる。
【００４２】
本実施態様において、付属品取付具１２０ａは、スナップボタンとしているが、付属品を着脱自在に取り付けることができればその種類を特に限定されない。例えば、付属品取付具１２０ａをフックやカラビナや面ファスナー等としてもよい。付属品取付具１２０ａを設ける位置も特に限定されないが、左側方パッド１１０や右側方パッド１２０や前方連結帯材１６０等に設けるようにすると、使用者が扱いやすい位置にポーチ等を取り付けることができるため好ましい。付属品取付具１２０ａは、１つだけ設けてもよいが、複数箇所に設けるようにすると、ポーチ等をより安定して取り付けることができるため好ましい。
【００４３】
７．  用途
本発明の股関節サポーター１００は、その用途を特に限定されるものではないが、介護やスポーツを行う際の腰痛軽減や腰痛予防のためのサポーターとして好適に用いることができる。
【符号の説明】
【００４４】
１００    股関節サポーター
１１０    左側方パッド
１２０    右側方パッド
１２０ａ  付属品取付具
１２１    固定帯材
１２１ａ  面ファスナー
１２１ｂ  面ファスナー
１３０    後方パッド
１４０    左側連結帯材
１５０    右側連結帯材
１５１    第一帯材
１５２    第二帯材
１５３    第一連結具
１５４    第二連結具
１６０    前方連結帯材
１６１    着脱式留め具
１７０    滑り止めマット
１７１    滑り止め突起
２１０    骨盤
２２０    大腿骨
２２１    大腿骨大転子部
２３０    股関節
【図１】
2018102344.tif 000003
【図２】
2018102344.tif 000004
【図３】
2018102344.tif 000005
【図４】
2018102344.tif 000006
【図５】
2018102344.tif 000007